(57)【要約】【課題】複数の画像の中から所望する画像を素早く探し出せるようにする。【解決手段】画像表示装置５０は、サムネイル画像生成回路５１と、１頁に表示させるサムネイル画像の数を決定する画像数決定回路５２と、サムネイル画像を決定された数ごとに１頁に纏めるサムネイル画像集合回路５３と、１頁のサムネイル画像の中からそれぞれ１つを代表画像として抽出する代表画像抽出回路５４と、各頁ごとの代表画像の中から連続した８つの代表画像を抽出し、インデックス画像としてＬＣＤ表示パネル１６に表示させるとともに、その中から１つが選択されたことに連動して、選択された画像が含まれる１頁のサムネイル画像をＬＣＤ表示パネル１６に順次に並べて表示させる画像表示制御回路５９とから構成される。表示された１頁のサムネイル画像が更新されたときは、更新された頁の代表画像に対応するインデックス画像が自動的に選択され表示される。【選択図】図４
2011029823.tif 000002
【特許請求の範囲】
【請求項１】
記憶手段に記憶された複数の画像データに基づく複数の画像を表示させる表示パネルと、
前記画像データを縮小処理してサムネイル画像を生成するサムネイル画像生成手段と、
前記表示パネルに一度に表示させるサムネイル画像の数を決定する画像数決定手段と、
前記サムネイル画像を前記画像数決定手段によって決定された数ごとに纏めて１頁とするサムネイル画像集合手段と、
前記１頁に纏められた複数のサムネイル画像の中から１つのサムネイル画像を代表画像として抽出する代表画像抽出手段と、
前記表示パネル上に設けられたインデックス画像表示エリアに前記代表画像と同じ画像をインデックス画像として順次に複数個並べて表示させるとともに、前記インデックス画像の中から１つが選択されたことに連動して、前記選択されたインデックス画像と同じ画像のサムネイル画像が含まれる１頁のサムネイル画像を前記表示パネル上に設けられたサムネイル画像表示エリアに表示させる画像表示制御手段と、
を備えたことを特徴とする画像表示装置。
【請求項２】
前記画像表示制御手段は、前記サムネイル画像表示エリアに表示されたサムネイル画像以外のサムネイル画像が選択されたときは、選択されたサムネイル画像を含む１頁のサムネイル画像を前記サムネイル画像表示エリアに表示させることを特徴とする請求項１記載の画像表示装置。
【請求項３】
前記画像表示制御手段は、前記インデックス画像が選択されることなく前記サムネイル画像表示エリアに表示される１頁のサムネイル画像が更新されたときは、更新された１頁のサムネイル画像の代表画像に対応するインデックス画像を自動的に選択することを特徴とする請求項２記載の画像表示装置。
【請求項４】
前記インデックス画像は、予め定められた数を上限として表示されることを特徴とする請求項１〜３いずれかに記載の画像表示装置。
【請求項５】
前記インデックス画像表示エリアには抽出された全ての代表画像に対応する全てのインデックス画像が表示されることを特徴とする請求項１〜３いずれかに記載の画像表示装置。
【請求項６】
前記代表画像抽出手段は、予め定められた条件に基づいて前記代表画像を自動的に抽出することを特徴とする請求項１〜５のいずれかに記載の画像表示装置。
【請求項７】
前記代表画像抽出手段は、前記１頁上に順次に並べられた複数のサムネイル画像の中から、最初のサムネイル画像を前記代表画像として抽出することを特徴とする請求項６記載の画像表示装置。
【請求項８】
前記代表画像抽出手段は、前記１頁のサムネイル画像の中で画像品質が最も良好なものを抽出して前記代表画像とすることを特徴とする請求項６記載の画像表示装置。
【請求項９】
前記画像の１つ１つにお気に入り評価値が記録され、前記代表画像抽出手段は、前記１頁のサムネイル画像の中で前記お気に入り評価値の最も高いものを抽出して前記代表画像とすることを特徴とする請求項６記載の画像表示装置。
【請求項１０】
前記代表画像抽出手段は、前記１頁のサムネイル画像の中で前記拡大表示された回数の最も多いものを抽出して前記代表画像とすることを特徴とする請求項６記載の画像表示装置。
【請求項１１】
前記画像の１つ１つに前記拡大表示の累積時間が記録され、前記代表画像抽出手段は、前記１頁のサムネイル画像の中で前記累積時間の最も長いものを抽出して前記代表画像とすることを特徴とする請求項６記載の画像表示装置。
【請求項１２】
記憶手段に記憶された複数の画像データを縮小処理して生成したサムネイル画像を、所定の数ごとに１頁づつに纏め、１頁に纏められた複数のサムネイル画像を表示パネルのサムネイル画像表示エリアに表示し、
１頁に纏められた複数のサムネイル画像の中から１つのサムネイル画像を代表画像として抽出し、抽出した画像のインデックス画像を、所定の数だけ前記表示パネルのインデックス画像表示エリアに表示し、
インデックス画像表示エリアに表示されたインデックス画像の中から任意に選択されたインデックス画像と同じ画像のサムネイル画像が含まれる前記１頁のサムネイル画像を、前記表示パネル上のサムネイル画像表示エリアに順次に並べて表示し、
前記サムネイル画像表示エリアに表示されたサムネイル画像以外のサムネイル画像が選択されたときは、選択されたサムネイル画像を含む１頁のサムネイル画像を前記サムネイル画像表示エリアに表示し、
前記インデックス画像が選択されることなく前記サムネイル画像表示エリアに表示される１頁のサムネイル画像が更新されたときは、更新された１頁のサムネイル画像の代表画像に対応するインデックス画像を選択されたインデックス画像として表示することを特徴とする画像表示方法。
【発明の詳細な説明】
【技術分野】
【０００１】
本発明は、保存された多くの画像の中から所望する画像を少ない操作で探し出すことができる画像表示装置及び画像表示方法に関する。
【背景技術】
【０００２】
フレキシブルディスク、ＰＣカード、内蔵メモリ等の記憶媒体より、静止画像データを読み込み、表示画面を複数のエリアに分割して、複数の静止画像を同一画面上にサムネイル表示させる装置が知られている。下記特許文献１には、サムネイル表示する画像データの数が予め設定された画面の分割数より少ないときは、表示する画像データ数に応じて画面を分割し、表示する画像を分割によって決められた表示サイズに縮小してサムネイル画像を生成し表示部に表示させる表示制御装置が記載されている。また、下記特許文献２には、画像データ数が表示画面に一度に表示可能なサムネイル画像の数より多い場合に、一度に表示可能な数ごとに纏めてそれぞれを１頁として、表示されている複数のサムネイル画像が何頁目であるかが（例えば、「１／４頁」と）表示されるようにしたデジタルカメラが記載されている。
【先行技術文献】
【特許文献】
【０００３】
【特許文献１】特開２０００−１１５６４０号公報
【特許文献２】特開平１１−３１７９３０号公報
【発明の概要】
【発明が解決しようとする課題】
【０００４】
上記特許文献２に記載された方法は、蓄積された画像データが比較的少ないうちは良いが、例えば、１００枚を超えるような数になると、１画面に９個のサムネイル画像を表示する場合であっても１０数頁にもなってしまい、見たい画像が何頁目あたりにあるかすら把握することができず、相当数の頁を開いて確認しなければならないので、探すために多大な時間を必要とし、操作の煩わしさも増大する。
【０００５】
本発明は上記問題点に鑑み、多くのサムネイル画像の中から所望の画像を素早く探し出せるようにする。
【課題を解決するための手段】
【０００６】
本発明による画像表示装置は、記憶手段に記憶された複数の画像データに基づく複数の画像を表示させる表示パネルと、前記画像データを縮小処理してサムネイル画像を生成するサムネイル画像生成手段と、前記表示パネルに一度に表示させるサムネイル画像の数を決定する画像数決定手段と、前記サムネイル画像を前記画像数決定手段によって決定された数ごとに纏めて１頁とするサムネイル画像集合手段と、前記１頁に纏められた複数のサムネイル画像の中から１つのサムネイル画像を代表画像として抽出する代表画像抽出手段と、前記表示パネル上に設けられたインデックス画像表示エリアに前記代表画像と同じ画像をインデックス画像として順次に複数個並べて表示させるとともに、前記インデックス画像の中から１つが選択されたことに連動して、前記選択されたインデックス画像と同じサムネイル画像が含まれる１頁のサムネイル画像を前記表示パネル上に設けられたサムネイル画像表示エリアに表示させる画像表示制御手段と、を備えたことを特徴とする。
【０００７】
前記画像表示制御手段は、前記サムネイル画像表示エリアに表示されたサムネイル画像以外のサムネイル画像が選択されたときは選択されたサムネイル画像を含む１頁のサムネイル画像を前記サムネイル画像表示エリアに表示させ、前記インデックス画像が選択されることなく前記サムネイル画像表示エリアに表示される１頁のサムネイル画像が更新されたときは、更新された１頁のサムネイル画像の代表画像に対応するインデックス画像を自動的に選択する。前記インデックス画像は予め定められた数を上限として表示されるようにすると良い。あるいは、前記インデックス画像表示エリアには抽出された全ての代表画像に対応する全てのインデックス画像が表示されるようにしても良い。
【０００８】
前記代表画像抽出手段は、予め定められた条件に基づいて前記代表画像が自動的に抽出されるようにすると良く、前記１頁上に順次に並べられた複数のサムネイル画像の中の最初のサムネイル画像、又は、前記１頁のサムネイル画像の中で画像品質が最も良好なもの、又は、前記画像の１つ１つに記録されたお気に入り評価値が前記１頁のサムネイル画像の中で最も高いもの、又は、前記１頁のサムネイル画像の中で拡大表示された回数の最も多いもの、又は、前記１頁のサムネイル画像の中で拡大表示された時間の累積が最も長いものが抽出されるようにすると良い。
【０００９】
本発明による画像表示方法は、記憶手段に記憶された複数の画像データを縮小処理して生成したサムネイル画像を所定の数ごとに１頁づつに纏め、１頁に纏められた複数のサムネイル画像を表示パネルのサムネイル画像表示エリアに表示し、１頁に纏められた複数のサムネイル画像の中から１つのサムネイル画像を代表画像として抽出し、抽出した画像のインデックス画像を、所定の数だけ前記表示パネルのインデックス画像表示エリアに表示し、インデックス画像表示エリアに表示されたインデックス画像の中から任意に選択されたインデックス画像と同じ画像のサムネイル画像が含まれる前記１頁のサムネイル画像を前記表示パネル上のサムネイル画像表示エリアに順次に並べて表示し、前記サムネイル画像表示エリアに表示されたサムネイル画像以外のサムネイル画像が選択されたときは選択されたサムネイル画像を含む１頁のサムネイル画像を前記サムネイル画像表示エリアに表示し、前記インデックス画像が選択されることなく前記サムネイル画像表示エリアに表示される１頁のサムネイル画像が更新されたときは更新された１頁のサムネイル画像の代表画像に対応するインデックス画像を選択されたインデックス画像として表示することを特徴とする。
【発明の効果】
【００１０】
本発明によれば、非常に多くの画像データの中から所望する１枚の画像を素早く探し出すことができる。
【図面の簡単な説明】
【００１１】
【図１】本発明による画像表示装置を備えたデジタルカメラを前から見た外観図である。
【図２】デジタルカメラを後から見た外観図である。
【図３】デジタルカメラの電気的構成を示す図である。
【図４】画像表示装置の電気的構成を示す図である。
【図５】ＬＣＤ表示パネルを見た図である。
【図６】表示させるサムネイル画像の数を変更したときの説明図である。
【図７】品質の最も良い画像の抽出を説明する図である。
【図８】お気に入り度の最も良い画像の抽出を説明する図である。
【図９】最も多く拡大表示された画像の抽出を説明する図である。
【図１０】最も長い時間拡大表示された画像の抽出を説明する図である。
【図１１】サムネイル画像及びインデックス画像を説明する図である。
【図１２】サムネイル画像の選択を説明する図である。
【図１３】次の頁のサムネイル画像が選択された時の説明図である。
【図１４】十字キーボタンによるサムネイル画像の選択を説明する図である。
【図１５】カーソル切替ボタンによるカーソルの移動を説明する図である。
【図１６】十字キーボタンによるサムネイル画像の選択を説明する図である。
【図１７】十字キーボタンによるサムネイル画像の選択を説明する図である。
【図１８】拡大画像を説明する図である。
【図１９】表示させるサムネイル画像の数を１にしたときの説明図である。
【図２０】別の実施形態のデジタルカメラを後から見た外観図である。
【図２１】タッチパネルを用いたインデックス画像の選択を説明する図である。
【図２２】タッチパネルを用いたサムネイル画像の選択を説明する図である。
【図２３】タッチパネルを用いた拡大画像を説明する図である。
【図２４】タッチパネルを用いて表示させるサムネイル画像の数を１にしたときの説明図である。
【図２５】インデックス画像とサムネイル画像の表示切替を説明するフローチャートである。
【図２６】１頁に表示されるサムネイル画像数を変更するときのフローチャートである。
【図２７】インデックス画像表示エリアに表示する代表画像を自動的に抽出する１例を示すフローチャートである。
【発明を実施するための形態】
【００１２】
図１及び図２に示すように、デジタルカメラ１０は、略直方体形状のカメラ本体１１の前面に撮像レンズ１２とストロボ発光部１３が設けられ、カメラ本体１１の上面に電源スイッチ１４とシャッタボタン１５が設けられている。カメラ本体１１の背面には、画像を表示するＬＣＤ表示パネル（表示パネル）１６が設けられ、撮影モードを選択する撮影モードボタン２０と、再生モードを選択する再生モードボタン２１と、撮影モードでは前記撮像レンズ１２を前方へ繰り出して望遠撮影位置とするとともに再生モードではＬＣＤ表示パネル１６に設けられたサムネイル画像表示エリア５７（図５参照）に一度に表示させるサムネイル画像６１の数を一段階減少させるＴボタン１７と、撮影モードでは前記撮像レンズ１２を収納して標準撮影位置とするとともに再生モードでは前記サムネイル画像表示エリア５７に１度に表示させるサムネイル画像６１の数を一段階増加させるＷボタン１８が設けられている。
【００１３】
この他に、選択されている画像を示すカーソル６０の位置をサムネイル画像表示エリア５７とインデックス画像表示エリア５８（図５参照）との間で切り替えるカーソル切替ボタン２２と、サムネイル画像表示エリア５７に表示された複数のサムネイル画像６１の中でカーソル６０を上下左右に移動させて任意の画像を選択する十字キーボタン２４及びカーソル６０で選択されたサムネイル画像６１をＬＣＤ表示パネル１６の全表示領域（図１８参照）に拡大して表示させる決定ボタン２５とが設けられている。カメラ本体１１の底面には、画像データが記憶されるメモリカード２６が着脱自在に装填されるスロット（図示せず）が設けられ、撮影された画像データがメモリカード２６に書き込まれて保存される。なお、前記電源スイッチ１４から決定ボタン２５までの操作部材を纏めて操作部２９と言う。
【００１４】
図３に示すように、デジタルカメラ１０の電気的構成は、操作部２９からの信号が入力されるＣＰＵ３０に、前記撮影レンズ１２のピント調節を行うステッピングモータ３１を制御するモータドライバ３２と、絞り装置３３を制御するアイリスドライバ３４と、ストロボ発光部１３の発光・制御を行わせるストロボ回路３５が接続される。また、ＣＰＵ３０には、撮像レンズ１２によって受光面に被写体像が結像され、結像された被写体像を撮像信号として出力するＣＣＤ３６、前記撮像信号をＣＣＤ３６の各受光素子の蓄積電荷量に正確に対応させたＲ（赤）、Ｇ（緑）、Ｂ（青）の画像データに変換して出力するＣＤＳ（相関二重サンプリング回路）３７、ＣＤＳ３７から出力された画像データを増幅するＡＭＰ（増幅回路）３８、アナログの画像データをデジタルの画像データに変換するＡ／Ｄ変換器３９がデータバス４０を介して接続される。
【００１５】
Ａ／Ｄ変換器３９から出力された画像データは、データバス４０を介してＳＤＲＡＭ（記憶手段）４１に一時的にストアされる。画像信号処理回路４２は、ＳＤＲＡＭ４１から画像データを読み出して、階調変換、γ補正処理などの各種画像処理を施し、この画像データを再度ＳＤＲＡＭ４１に記録する。ＳＤＲＡＭ４１に一時的に記憶された画像データは、ＬＣＤドライバ４８でアナログのコンポジット信号に変換され、ＬＣＤ表示パネル１６にスルー画として表示される。ＳＤＲＡＭ４１には複数の画像を記憶する複数のメモリエリアがあり、一方からの読み出し中に他方に書き込みをすることができる。
【００１６】
圧縮伸長処理回路４３は、画像信号処理回路４２で画像処理が施された画像データに対して、所定の圧縮形式（例えばＪＰＥＧ形式）で画像圧縮を施す。圧縮された画像データは、メディアコントローラ４４を経由してメモリカード２６に記憶される。この他、前記ＣＰＵ３０には、ＣＣＤ３６に結像された画像のピントを検知するＡＥ／ＡＦ処理回路４５が接続され、前記モータドライバ３２によって前記撮像レンズ１２のピント合わせが行われる。ＲＯＭ４６にはシーケンスプログラムが記憶され、ワークメモリであるＲＡＭ４７に読み出され、これらの制御が実行される。
【００１７】
図４及び図５に示すように、本発明による画像表示装置５０は、撮影レンズ１２によって撮像されＳＤＲＡＭ４１に記憶された複数の画像データ、あるいは、メモリカード２６から読み出されてＳＤＲＡＭ４１に記憶された画像データに基づく複数の画像を、ＬＣＤ表示パネル１６に表示させる。
【００１８】
画像表示装置５０は、ＬＣＤ表示パネル１６の他に、画像データを縮小処理してサムネイル画像６１（図５では、＃３７〜＃４８）を生成するサムネイル画像生成回路（サムネイル画像生成手段）５１と、Ｔボタン１７及びＷボタン１８の操作によって前記ＬＣＤ表示パネル１６に一度に表示させるサムネイル画像６１の数を決定する画像数決定回路（画像数決定手段）５２と、全画像データによるサムネイル画像６１を画像数決定回路５２によって決定された数ごとに１頁づつに纏めるサムネイル画像集合回路（サムネイル画像集合手段）５３と、前記１頁に纏められた複数のサムネイル画像６１の中から１つのサムネイル画像を代表画像６２として抽出する代表画像抽出回路（代表画像抽出手段）５４と、抽出された全ての代表画像６２と同じ画像を順次に並べたインデックスファイルを作成するインデックスファイル作成回路５６と、インデックスファイルの中のから連続した８つの画像を選択してインデックス画像表示エリア５８にインデックス画像６３として表示するとともに、インデックス画像６３の中から１つのインデックス画像６３が選択されることに連動して前記ＬＣＤ表示パネル１６上に設けられたサムネイル画像表示エリア５７に前記選択されたインデックス画像６３と同じ画像が含まれる１頁のサムネイル画像６１を順次に並べて表示させる画像表示制御回路５９とから構成され、これらの回路が前記データバス４０を介して前記ＣＰＵ３０に接続される。
【００１９】
ＬＣＤ表示パネル１６には、１頁のサムネイル画像６１が表示されるサムネイル画像表示エリア５７と、例えば８枚のインデックス画像６３が表示されるインデックス画像表示エリア５８とが設定されている。インデックス画像表示エリア５８に表示されるインデックス画像６３は、前記１頁ごとに抽出された代表画像６２と同じ画像であり、例えば、１頁目から＃１（図１１参照）、２頁目から＃１３（図１３参照）、３頁目から＃２５（図１４参照）、４頁目から＃３７（図５参照）の画像がそれぞれ抽出される。
【００２０】
インデックス画像表示エリア５８に表示された８枚のインデックス画像６３は１つが正姿勢で表示され（以下、正姿勢画像６４と言う）、他のインデックス画像６３は正姿勢画像６４を中心にその前後に配置され、並び方向に対して斜めに傾斜した姿勢で、かつ前記正姿勢画像６４から離れるに従って表示される傾斜角度が大きくなるように表示される。カーソル６０が上下に移動されると、カーソルで選択されたインデックス画像６３が正姿勢で表示され正姿勢画像６４となる。と同時に、サムネイル画像表示エリア５７に表示されるサムネイル画像６１が更新され、正姿勢で表示された画像が含まれる１頁のサムネイル画像がサムネイル画像表示エリア５７に表示される。
【００２１】
代表画像６２の数がインデックス画像表示エリア５８に表示されるインデックス画像６３の数より多いときは、インデックス画像表示エリア５８の上部に▲マーク８２を下部に▼マーク８３を設けて、夫々の方向にインデックス画像６３が更にあることを示すようにしても良い（図１６参照）。また、インデックス画像表示エリア５８に表示されるインデックス画像６３の数を８としたが、８以外であっても良いし、代表画像抽出回路５４によって抽出された全ての代表画像６２をインデックス画像表示エリア５８に表示させるようにしても良い。
【００２２】
画像表示装置５０は、先頭画像抽出部６５、画像評価部６６、お気に入り度記録部６７を備え、予め定められた条件に基づいて前記代表画像６２を自動的に抽出することができる。先頭画像抽出部６５は、それぞれ１頁に纏められたサムネイル画像６１の中から先頭の画像を抽出する。画像評価部６６は、前記画像データによる各画像の品質を予め定められた評価方法、例えば、ピンボケ、画像ブレ、明るさ、色合いなどによって各画像の品質が評価され点数が自動的に付与される。お気に入り度記録部６７には、各画像が拡大表示されたときにユーザによって入力されたお気に入り度数が記録される。また、各画像が拡大表示された回数がカウンタ６８によってカウントされてＲＡＭ４７に記憶されるとともに、拡大表示された時間がタイマ６９によって計測され、その累積時間がＲＡＭ４７に記憶される。
【００２３】
代表画像抽出回路５４は、前記代表画像６２の抽出方法を、次の５種類の中から選択することができる。１つ目は、前記先頭画像抽出部６５によって、それぞれの頁の中の先頭の１枚が抽出されて代表画像６２とされるもの（図１１参照）。２つ目は、前記画像評価部６６によって採点された点数の最も高いものが代表画像６２とされるもの（図７参照）。３つ目は、前記お気に入り度記録部６７に記録されたお気に入り度数の最も高いものが代表画像６２とされるもの（図８参照）。４つ目は、前記ＲＡＭ４７に記憶された拡大表示された回数の最も多いものが代表画像６２とされるもの（図９参照）。５つ目は、前記ＲＡＭ４７に記憶された拡大表示された時間の累積が最も長いものが代表画像６２とされるものである（図１０参照）。
【００２４】
代表画像抽出回路５４は、前記Ｔボタン１７又はＷボタン１８が押されて前記画像数決定回路５２によって決定される数が変更された場合には、１頁に纏められたそれぞれの頁から代表画像６２を再度抽出する。図２６に示すように、Ｔボタン１７が押されるとサムネイル画像表示エリア５７に表示されるサムネイル画像６１の数が１段階少なくなり、各頁の代表画像６２が新たに抽出されてインデックス画像表示エリア５８に表示されるインデックス画像６３が更新される。また、Ｗボタン１８が押されるとサムネイル画像表示エリア５７に表示されるサムネイル画像６１の数が１段階増加され、各頁から再度代表画像６２が抽出されてインデックス画像表示エリア５８に表示されるインデックス画像６３が更新される。
【００２５】
例えば、図１３に示すように、２頁目の代表画像６２は＃１３の画像であるが、１頁に表示される画像数が１２から６に減少された場合には、図６に示すように、２頁目の代表画像６２として＃７の画像が新たに抽出される。また、Ｔボタン１７を押して表示する画像数を１に設定すると、そのときに選択されているサムネイル画像６１がサムネイル画像表示エリア５７の全表示領域に表示される（図１９参照）。
【００２６】
また、代表画像抽出回路５４は、代表画像６２の抽出方法を前記５つの方法から事前に選択することができる。例えば、図７に示すように、前記２つ目の方法が選択された場合は、前記画像評価部６６によって各画像の品質が評価され採点される。各画像の品質の評価値がそれぞれ各画像の左上に示されるような点数であった場合、最も点数の高い＃３０の画像が代表画像６２として抽出される。また、図８に示すように、前記３つ目の方法が選択された場合は、前記お気に入り度記録部６７に記録された評価点の最も高いものが代表画像６２として抽出され、例えば、各画像に対する評価点がそれぞれ各画像の右上に示されるような点数であった場合、最も点数の高い＃３１の画像が代表画像６２として抽出される。
【００２７】
図９に示すように、前記４つ目の方法が選択された場合は、前記カウンタ６８でカウントされＲＡＭ４７に記憶された前記拡大表示された回数が最も多いものが代表画像６２とされる。各画像の拡大表示された回数がそれぞれ各画像の右下に示されるような回数であった場合、最も点数の高い＃３２の画像が代表画像６２として抽出される。図１０に示すように、前記５つ目の方法が選択された場合は、前記ＲＡＭ４７には前記タイマ６９で計測された各画像の拡大表示されていた時間の累積時間が記憶され、前記累積時間の最も長いものが代表画像６２とされる。各画像の前記累積時間がそれぞれ各画像の左下に示されるような時間であった場合、最も長い＃３４の画像が代表画像６２として抽出される。
【００２８】
図２７に示すように各頁の代表画像は、前記５つの代表画像抽出方法から１つを選択することで、所望する画像を速やかに探し出すことができる。表示対象の全画像数Ｐａと１頁に表示される画像数Ｔとが取得され、Ｐａ／Ｔ＝Ｉ（端数は切り上げ）により全頁数（Ｉ）が求められ、頁数ｎを１つづつ増やしながら、各頁ごとに代表画像が抽出される。例えば、代表画像抽出方法として前記５つ目の方法が選択されている場合には、各頁の画像の中から拡大表示された時間の累計が最も長い画像がその頁の代表画像６２として自動的に抽出される。
【００２９】
本発明による画像表示方法は、記憶手段に記憶された複数の画像データを縮小処理して生成したサムネイル画像を所定の数ごとに１頁づつに纏め、１頁に纏められた複数のサムネイル画像を表示パネルのサムネイル画像表示エリアに表示し、１頁に纏められた複数のサムネイル画像の中から１つのサムネイル画像を代表画像として抽出し、抽出した画像のインデックス画像を所定の数だけ前記表示パネルのインデックス画像表示エリアに表示し、インデックス画像表示エリアに表示されたインデックス画像の中から任意に選択されたインデックス画像と同じ画像のサムネイル画像が含まれる前記１頁のサムネイル画像を前記表示パネル上のサムネイル画像表示エリアに順次に並べて表示する。
【００３０】
また、前記サムネイル画像表示エリアに表示されたサムネイル画像以外のサムネイル画像が選択されたときは選択されたサムネイル画像を含む１頁のサムネイル画像を前記サムネイル画像表示エリアに表示し、前記インデックス画像が選択されることなく前記サムネイル画像表示エリアに表示される１頁のサムネイル画像が更新されたときは更新された１頁のサムネイル画像の代表画像に対応するインデックス画像を選択されたインデックス画像として表示する。
【００３１】
サムネイル画像表示エリア５７に表示された複数のサムネイル画像６１の中に所望の画像がないときは、インデックス画像表示エリア５８に表示されたインデックス画像６３の中から別のインデックス画像６３を選択するか、表示されていないサムネイル画像を選択することでサムネイル画像６１の頁を更新して新しいサムネイル画像６１の頁を表示し、所望の画像を探すことができる。
【００３２】
次に、画像表示装置５０による画像の表示を操作手順に従って説明する。例えば、前記スロットにメモリカード２６が装填され、メモリカード２６に記録された複数の画像データが読み取られてＳＤＲＡＭ４１に記録される。再生モードボタン２１が押されて再生モードが選択されると、全画像のサムネイル画像６１が生成され、初期値あるいは既に設定されている数ごとにそれぞれ１頁に纏められる。
【００３３】
図１１に示すように、設定された画像数が１２の場合は、全画像データが１頁１２個づつに纏められる。この１２個のサムネイル画像６１の中から前記代表画像抽出回路５４によって、所定の１枚が代表画像６２に選ばれる。代表画像６２の抽出方法は、前記５つの方法から予め選択された方法によるが、代表画像６２の抽出方法が選択されていない場合には前記１つ目の方法が自動的に選択される。代表画像６２の抽出に続いてインデックスファイルが作成され、その中から８枚のインデックス画像６３が順次に抽出されインデックス画像表示エリア５８に表示される。
【００３４】
インデックス画像表示エリア５８に表示された８枚のインデックス画像６３の中で先頭の１枚（＃１）が正姿勢で表示されるとともにサムネイル画像表示エリア５７に＃１の画像が含まれる１頁目のサムネイル画像６１が表示される。表示されたサムネイル画像６１の中に所望する画像がないときは、インデックス画像表示エリア５８のカーソル６０を正姿勢で表示された＃１の画像から他のインデックス画像６３へ移動させることで所望の画像を探し出す。
【００３５】
図２５に示すように、インデックス画像表示エリア５８にカーソル６０があるときは、カーソル６０を下に移動させるとサムネイル画像表示エリア５７に表示されるサムネイル画像６１が１つ後の頁のサムネイル画像６１に更新され、カーソル６０を上に移動させるとサムネイル画像表示エリア５７に表示されるサムネイル画像が１つ前の頁のサムネイル画像６１に更新される。カーソル６０がインデックス画像表示エリア５８にないときは、カーソル切替ボタン２２を操作してカーソル６０をインデックス画像表示エリア５８に戻すことができる。
【００３６】
また、サムネイル画像表示エリア５７にあるカーソル６０を上又は下に移動させて、サムネイル画像表示エリア５７に表示されているサムネイル画像６１から表示されていないサムネイル画像６１に移動させると、サムネイル画像表示エリア５７に表示されるサムネイル画像６１が１つ前又は後の頁のサムネイル画像６１に更新されると同時に、インデックス画像表示エリア５８に表示された正姿勢画像６４の位置も、１つ前又は後のインデックス画像６３に移動する。
【００３７】
図１２に示すように、前記カーソル６０を移動させて、前記サムネイル画像表示エリア５７に表示された複数のサムネイル画像６１の中から拡大表示させたい画像を選択することができる。＃１の画像にカーソル６０がある（図１１参照）ときに前記十字キーボタン２４の下▽マークを３回押すと、カーソル６０が＃１０の位置に移動する。更にもう１回押すと、次の頁がサムネイル画像表示エリア５７に表示され、カーソル６０が＃１３の位置に移動すると同時に、インデックス画像表示エリア５８では２つ目のインデックス画像＃１３が正姿勢画像６４になる（図１３参照）。
【００３８】
図１４に示すように、前記十字キーボタン２４を操作してカーソル６０を＃３２のサムネイル画像６１に移動させると、これに連動して正姿勢画像６４が変更し、３頁目のインデックス画像（＃２５）が正姿勢画像６４となる。前記十字キーボタン２４は、十字キーボタン２４の上下左右に記された△マークの部分を押して、前記サムネイル画像表示エリア５７に表示された複数のサムネイル画像６１の中でカーソル６０を上下左右の任意の画像に移動させるが、左及び右は「戻る」及び「進む」であり、左側に画像がないときに左の△マークが押された場合は、前列右端の画像にカーソル６０が移動する。例えば、カーソル６０が＃３２にあるときに十字キーボタン２４の左の△マークの部分を２回押すと前列右端にある＃３０にカーソル６０が移動する（移動後のカーソルは図示せず）。
【００３９】
サムネイル画像表示エリア５７に表示された１２個のサムネイル画像６１に所望する画像がない場合は、カーソル切替ボタン２２を押すとカーソル６０がインデックス画像６３の中の正姿勢画像６４に移動する。例えば、カーソル６０が＃４１のサムネイル画像６１（図５参照）にあるときに、カーソル切替ボタン２２が押されると、カーソル６０は４つ目のインデックス画像である＃３７の正姿勢画像６４（図１５参照）に移動する。そして十字キーボタン２４の下の▽マークの部分を押すと、カーソル６０が１つ下がって５つ目のインデックス画像である＃４９に移動し、＃４９が正姿勢画像６４となる。インデックス画像表示エリア５８の＃４９が正姿勢画像６４となると同時に、サムネイル画像表示エリア５７には＃４９のサムネイル画像を代表画像とする１頁が表示される（図１６参照）。
【００４０】
前記十字キーボタン２４の下の▽マークの部分を何回も押すことによって、例えば、図１７に示すように、サムネイル画像表示エリア５７に、２２頁目の＃２５３〜＃２６４のサムネイル画像６１を表示させることもできる。そして、その中から所望する画像を探し出し、例えば、＃２５８のサムネイル画像６１にカーソル６０を移動させて決定ボタン２５を押すと、図１８に示すように、ＬＣＤ表示パネル１６の全表示領域に＃２５８のサムネイル画像６１が拡大表示される。この状態で、再度、決定ボタン２５を押せば、図１７の表示状態に戻すことができる。
【００４１】
次に、別の実施形態について説明するが、前記実施形態と同じものは同じ符号を付すとともに説明を省略する。図２０に示すように、デジタルカメラ７０は、ＬＣＤ表示パネル７１の表面がタッチパネルとなっており、ＬＣＤ表示パネル７１に表示された操作アイコンに対して、ユーザの指、又は付属する操作ペン（図示せず）などを用いて、タッチパネルに接触することによって操作を行うことができる。操作部７３は、十字キーボタン７６と決定ボタン７７がメニュー画面での各メニューの選択及び決定に用いられ、前記インデックス画像６３の移動やサムネイル画像６１の頁の移動は前記タッチパネルを使用する。
【００４２】
サムネイル画像表示エリア５７に表示された画像以外の画像を見たいときは、インデックス画像表示エリア５８に表示された８つのインデックス画像６３の中から、見たい画像の近くにファイルされていると思われるインデックス画像６３を探して操作ペンでタッチすると、タッチしたインデックス画像６３が正姿勢画像６４となり、その正姿勢画像６４と同じ画像のサムネイル画像６１が含まれる頁がサムネイル画像表示エリア５７に表示される。
【００４３】
例えば、図２１に示す表示状態の時に、インデックス画像の中で６番目のインデックス画像６３（＃６１）と同じ画像のサムネイル画像６１を含む頁が見たいときは、６番目のインデックス画像６３を操作ペンでタッチすると、８つのインデックス画像が図２２に示すように変化して６番目のインデックス画像が正姿勢画像６４となると同時に、サムネイル画像表示エリア５７に表示される１２枚のサムネイル画像６１が新しく置き換えられる。ここで、例えば、＃６６の画像を操作ペンでタッチすると、図２３に示すように、＃６６の画像がＬＣＤ表示パネル７１の全表示領域に拡大されて表示される。ここで、拡大された画像の左側にある三角マーク８１を操作ペンでタッチすると、図２２に示す状態に戻すことができる。
【００４４】
前記Ｔボタン１７によって表示されるサムネイル画像の数として１が選択されたときは、前記＃６６の画像が、図２４に示すように、サムネイル画像表示エリア５７の全領域に表示される。この状態で、画像＃６６をタッチすると、図２３に示すように、ＬＣＤ表示パネル７１の全表示領域に拡大表示される。あるいは、図２４に示すように、サムネイル画像表示エリア５７の左側に三角マーク８０を設け、これを操作ペンでタッチすることによって図２３の状態とするようにしても良い。
【００４５】
前記実施形態は、サムネイル画像表示エリア５７に表示させるサムネイル画像の数の設定を撮影レンズ１２のズーミングを行わせるＴボタン１７及びＷボタン１８で行うようにしたが、専用ボタンを設けて前記数の設定を行うようにしても良い。
【００４６】
前記実施形態は、デジタルカメラについて記載したが、本発明による画像表示装置は、デジタルカメラに使用されることに限定されるものではなく、パソコンに搭載してストレージを用いた画像表示機能として使用しても良い。前述した十字キーボタンなどの操作部やタッチパネルによるそれぞれの画像検索ステップを記憶させた記憶媒体をパソコンに挿入して、前記十字キーボタンなどの操作部やタッチパネルの代わりにマウスによる操作によってインデックス画像の送りやサムネイル画像の検索をするようにしても良い。また、携帯用画像表示装置に採用することもできる。
【符号の説明】
【００４７】
１０，７０  デジタルカメラ
１６，７１  ＬＣＤ表示パネル（表示パネル）
１７  Ｔボタン
１８  Ｗボタン
２０  撮影モードボタン
２１  再生モードボタン
２２  カーソル切替ボタン
２４  十字キーボタン
２５  決定ボタン
２６  メモリカード
２９，７３  操作部
３０  ＣＰＵ
４０  データバス
４１  ＳＤＲＡＭ（記憶手段）
４６  ＲＯＭ
４７  ＲＡＭ
５０  画像表示装置
５１  サムネイル画像生成回路（サムネイル画像生成手段）
５２  画像数決定回路（画像数決定手段）
５３  サムネイル画像集合回路（サムネイル画像集合手段）
５４  代表画像抽出回路（代表画像抽出手段）
５６  インデックスファイル作成回路
５７  サムネイル画像表示エリア
５８  インデックス画像表示エリア
５９  画像表示制御回路
６０  カーソル
６１  サムネイル画像
６２  代表画像
６３  インデックス画像（インデックス画像表示エリア５８に表示された代表画像６２）
６４  正姿勢画像（インデックス画像６３の中から選択された１つの画像）
６５  先頭画像抽出部
６６  画像評価部
６７  お気に入り度記録部
６８  カウンタ
６９  タイマ
８０〜８３  三角マーク
【図１】
2011029823.tif 000003
【図２】
2011029823.tif 000004
【図３】
2011029823.tif 000005
【図４】
2011029823.tif 000006
【図５】
2011029823.tif 000007
【図６】
2011029823.tif 000008
【図７】
2011029823.tif 000009
【図８】
2011029823.tif 000010
【図９】
2011029823.tif 000011
【図１０】
2011029823.tif 000012
【図１１】
2011029823.tif 000013
【図１２】
2011029823.tif 000014
【図１３】
2011029823.tif 000015
【図１４】
2011029823.tif 000016
【図１５】
2011029823.tif 000017
【図１６】
2011029823.tif 000018
【図１７】
2011029823.tif 000019
【図１８】
2011029823.tif 000020
【図１９】
2011029823.tif 000021
【図２０】
2011029823.tif 000022
【図２１】
2011029823.tif 000023
【図２２】
2011029823.tif 000024
【図２３】
2011029823.tif 000025
【図２４】
2011029823.tif 000026
【図２５】
2011029823.tif 000027
【図２６】
2011029823.tif 000028
【図２７】
2011029823.tif 000029